(57)【特許請求の範囲】
【請求項１】
緯編地編成中に３〜７本の編針を一編針飛びに不作用位置に置いて５〜３０コースを中央から両側に漸減させて編成し、編成後前記不作用位置の編糸を芯に隣接する編目を収縮させて突起面の広い平面略円形状または長円形状の突起部をそれぞれ形成し、編地裏目面に前記突起部を互に分離して均等に分布させた編物。
【請求項２】
前記突起部を交互に配置した千鳥模様状又は市松模様状に設けた請求項１に記載の編物。
【発明の詳細な説明】
【０００１】
【発明の属する技術分野】
この発明は、タイツ、ガードル、靴下、サポータ等に適用して、効果的なマッサージ作用、滑止作用等が生じる突起部を備えた編物に関する。
【０００２】
【従来の技術】
従来、この種の編物として、特開平１１−１５２６０７号公報には、図８に示すように、タックステッチメッシュからなり、従来の編糸と伸縮自在の糸とを３次元的に結合させ交互に凹状波形２１と凸状波形２２とを形成したガードルＤが提案されている。
【０００３】
しかしながら、タックステッチメッシュ即ちタック編み組織は、地厚になると共に伸縮性が減少する欠点があり、従来の編糸と伸縮自在の糸即ちポリウレタン弾性糸との複数種の糸を用意しなければならず煩雑であり、また凹凸模様が波形即ち織物の山形斜文織状に限定され変化に乏しく、さらに平地メッシュパターンを編成しながら波形の凹凸模様を編成するため高価な多給糸シングルシリンダ編機が必要条件でコスト高となる等の問題点がある。
【０００４】
登録実用新案第３０５８７８３号公報には、足底部分に凹凸模様からなる柄編組織を形成した靴下が提案されている。
【０００５】
しかしながら、柄編組織として、いろいろな柄組織が呈示されているが、複雑な柄編組織であるため、高価なダブルシリンダ編機が必要でコスト高となり、さらに、高さの大きな凹凸を形成することができないため、効果が限定される問題がある。
【０００６】
登録実用新案第３０６１３３４号公報には、ダブルシリンダ編機を用い、足底部にリンクス編み組織によって鹿の子状の凹凸模様を形成したソックスが提案されている。
【０００７】
しかしながら、リンクス編は外観上凹凸柄模様に見える編み組織であって、マッサージ作用、滑止作用等の効果が乏しく、表目面と裏目面の両面に交互に模様を作るリンクス柄用選針装置を備えた高価なダブルシリンダ編機が必要でコスト高となる等の問題点がある。
【０００８】
【発明が解決しようとする課題】
そこで、この発明の課題は、安価なシングルシリンダ編機を用い全く新規で簡単な編み組織により突起部を設けてコスト安を図ることができ、かつ、突起部の形状、大きさ、配列等を自由自在に選択することが可能であり、肌に接する裏目面に突起部があって、マッサージ作用、滑止作用等が大きい編物を提供することである。
【０００９】
【課題を解決するための手段】
上記の課題を解決するために、この発明においては、緯編地編成中に３〜７本の編針を一編針飛びに不作用位置に置いて５〜３０コースを中央から両側に漸減させて編成し、編成後前記不作用位置の編糸を芯に隣接する編目を収縮させて突起面の広い平面略円形状または長円形状の突起部をそれぞれ形成し、編地裏目面に前記突起部を互に分離して均等に分布させたのである。
【００１０】
また、前記突起部を交互に配置した千鳥模様又は市松模様に設けることができる。
【００１１】
【作用】
この発明に係る編物は、シングルシリンダ編機を用いて編成され全体が平編地であって伸縮性が大きく身体によく密着すると共に、突起部が編地の裏目面に存在するためマッサージ作用、滑止作用等の凹凸効果が大きい。
【００１２】
また、突起部の構造が簡単で、不作用位置の編針の数及び不作用コースの数が自由自在に選択可能であり、突起部の形状、大きさ及び配列模様を適宜に変更できる利点がある。突起部を交互に配置した千鳥模様状又は市松模様状に配列すると凹部凸部が交互に分散して凹凸効果が増大すると共に、外力に対する耐久性が向上し、通気性もよくて蒸れにくい。
【００１３】
【発明の実施の形態】
以下、この発明の実施形態を添付図面に基づいて説明する。
【００１４】
図１は、この発明の編物で形成したタイツＡを示し、ナイロン等のかさ高加工フィラメントと綿糸とポリウレタン弾性糸等からなる編糸を用い、所望の編目組織を自由に編成することができるエレクトロニクス制御のシングルシリンダ丸編機から編み立てられた全面が平編組織のロングパンツ型のものであり、股上中央縫合線１で左右の身頃が接合されたパンティ部２と、このパンティ部の下方に連なる左右対の脚部３、３とからなり、パンティ部２の上縁にウエスト・バンド４が、また各脚部３、３の下縁に縁取り５、５が施されている。
【００１５】
前記タイツＡの身頃地は、図２、図３、図４及び図５に示すように、緯編平編地編成中に、５本の編針Ｎ1 、Ｎ2 、Ｎ3 、Ｎ4 、Ｎ5 を不作用位置に置いて、両端の編針Ｎ1 、Ｎ5 は１４コース、編針Ｎ2 、Ｎ4 は１６コース、中央の編針Ｎ3 は１８コースそれぞれ編成し不作用位置の各編針にはループが形成されず、編成後この不作用位置の各２条の編糸Ｙ1 、Ｙ2 、Ｙ3 、Ｙ4 、Ｙ5 を芯に隣接する編目が収縮し編地裏目面６（図４及び図５参照）に向けて膨出して、平面略長円形状突起部７がそれぞれ形成されている。
【００１６】
前記不作用位置の編針は、１編針飛びに選定されており、この不作用位置の編針の間には正常作用の編針による鎖目８、８、８、８が編成されている。なお、不作用位置の編針数は１〜１０本、好ましくは３〜７本程度である。
【００１７】
前記突起部７は、図３に示すように、不作用コース数を中央から両側方向に漸減させて平面略長円形状に形成され、編地全面に交互に少し離して千鳥模様状に設けられており、突起面が広く、かつ交互に配列されているためマッサージ作用等の押圧効果が大きなものとなる。
【００１８】
なお、前記突起部７は、略長円形状に編成するほか、用途に対応して、略円形状、略方形状、略井桁状、略三角形状等形状を適宜選択することができると共に、不作用位置に置いた編針のコース数を変更して突起部の大きさ、高さ等を適宜選択することができるが、図３、図４及び図６に示すように、突起部の大きさを実質的に同じ大きさとし、均等に分布させるのが好ましい。
【００１９】
前記タイツＡは、図４及び図５に示すように、裏目面６に突起部７が膨出形成されるのは、不作用位置に置かれた、例えば編針Ｎ5 が編糸Ｙ5 を閉じたべらで抱持したまま、オールドループから表目面９方向に脱出停止しており、この間に隣接した移動編針が上下動しながらオールドループに順次ニューループを編成するようになるためであり、所定コース数停止後編針Ｎ5 は作動してループを作り隣接するループ群と連結するようになる。上述のように、突起部７が肌に直接接触する裏目面６に突出しているため、マッサージ作用等の押圧効果が特に大きくなる利点を有する。
【００２０】
図６は、この発明の他の実施形態の編物、即ちソックスＢを示し、シングルシリンダ丸形くつ下編機により編成され、足底部１０に、編地編成中特定の４本の編針を不作用位置に置いて１５コース程度編成し、編成後不作用位置の編糸を芯に隣接する編目が収縮して編地裏目面１１即ち内面に略方形状突起部１２が交互に接近して市松模様状に設けられている。
【００２１】
前記ソックスＢは、突起部１２が交互に接近し、かつ、編地が厚地であると突起部１２の糸条が比較的強く締まっており、さらに突起部の天面に横方向、即ちコース方向に編糸Ｙが配列されているため着用時大きいマッサージ作用や滑止作用が発生する。
【００２２】
なお、前記ソックスＢには、上述のように足底部のみに突起部を設けるほか、用途に対応して、脚部等にも設けることができる。
【００２３】
図７は、この発明のさらに他の実施形態の編物、即ち医療用サポータＣを示し、シングルシリンダ丸編機により編成され、保温性、柔軟性を有するアクリルを主体とした編糸からなる筒形状のものであり、全周面に編地編成中特定の５本の編針を不作用位置に置いて１０コース程度編成し裏目面に横長の略長円形状突起部１３が千鳥模様状に設けられ、筒体両端縁に口ゴムバンド１４、１４が形成されている。
【００２４】
前記サポータＣは、全面が伸縮性の大きい平編地であり、各突起部が分散しており、足や腕に着用時柔軟に心地よく密着し、内面に膨出した突起部によって患部にマッサージ作用、保温作用等を与えると共に、各突起部の間には凹部が存在して通気性を備え蒸れにくい等の効果がある。
【００２５】
この発明に係る編物は、前記実施形態のタイツ、ソックス、サポータのほかに、ガードル、各種サポータ、シェイプアップパンツ、介護用下着、スポーツソックス等に適用して有用である。
【００２６】
【発明の効果】
この発明によれば、以上のように、突起部が安価なシングルシリンダ編機による簡単な編み組織により編成されて、低コストに提供することができ、しかも、全体が平編地であるので伸縮性が大きく身体によく密着すると共に突起部に編地の裏目面に大きく膨出しているためマッサージ作用、滑止作用等の効果が特に大きい。
【００２７】
また、この突起部は、形状、大きさ、高さ、配列模様等を自在に選択することが容易にでき、編地面に突起部を交互に配置した千鳥模様状又は市松模様状に設けると、例えばソックスの足底面の場合突起部への外力が均等に分散され突起部が平坦化しにくく、長期間にわたって凹凸効果が持続でき、さらに凹部凸部が均等に分布しており通気性を有し蒸れにくい。
【図面の簡単な説明】
【図１】この発明の編物で形成したタイツを示す平面図
【図２】同上の突起部の編み組織を示す拡大説明図
【図３】同上の身頃地の裏目面を示す拡大平面図
【図４】図３のイ−イ線に沿った拡大断面図
【図５】同上の突起部の編み組織を示す拡大斜視図
【図６】この発明の編物の他の例で形成したソックスを示す平面図
【図７】この発明の編物のさらに他の例で形成したサポータを示す平面図
【図８】一従来例のタイツを示す平面図
【符号の説明】
Ａ  タイツ
Ｂ  ソックス
Ｃ  サポータ
Ｄ  ガードル
Ｎ1 、Ｎ2 、Ｎ3 、Ｎ4 、Ｎ5   編針
Ｙ、Ｙ1 、Ｙ2 、Ｙ3 、Ｙ4 、Ｙ5   編糸
１  中央縫合線
２  パンティ部
３  脚部
４  ウエスト・バンド
５  縁取り
６、１１  裏目面
７、１２、１３  突起部
８  鎖目
９  表目面
１０  足底部
１４  口ゴムバンド
２１  凹条波形
２２  凸条波形
【図１】
0003777409.tif 000002
【図２】
0003777409.tif 000003
【図３】
0003777409.tif 000004
【図４】
0003777409.tif 000005
【図５】
0003777409.tif 000006
【図６】
0003777409.tif 000007
【図７】
0003777409.tif 000008
【図８】
0003777409.tif 000009